(57)【要約】【課題】樹脂材料を流出させることなくコネクタ部材と電機子からの導線との接続箇所を樹脂材料により覆う。【解決手段】記録ディスク駆動装置に用いられるモータにおいて、電機子と回路基板とを接続するためのコネクタ部材２５がベース面２１１に取り付けられ、ベース面２１１の凸状の中央領域２１３に設けられた凹部２１５内にコネクタ部材２５の電機子接続部２５３が収容される。凹部２１５の両側の内側面２１５２とコネクタ部材２５の両側の外側面２５２４との間の間隙４０は中央領域２１３の境界２１６に向かって漸次広がり、これにより、コネクタ部材２５の配線と電機子の導線とが接続される電機子接続部２５３に樹脂材料２６を付与する際に、樹脂材料２６を境界２１６側に流出させることなく電機子接続部２５３を樹脂材料２６により覆うことができる。【選択図】図８
2010011570.tif 000002
【特許請求の範囲】
【請求項１】
電動式のモータであって、
ステータ部と、
前記ステータ部の下方に位置し、中心軸を中心として前記ステータ部に対して回転可能に支持されるロータ部と、
を備え、
前記ステータ部が、
前記中心軸を中心とする電機子と、
前記電機子が下方に取り付けられるとともに前記中心軸に平行に貫通する貫通孔が形成されたベース部と、
前記ベース部の上面であるベース面に取り付けられ、前記電機子からの導線が前記貫通孔を経由して接続されるコネクタ部材と、
を備え、
前記コネクタ部材が、
略径方向に伸びるとともに、前記電機子からの前記導線および前記ベース面上に取り付けられる回路基板に接続される配線と、
前記配線を覆う樹脂成形部と、
を有し、
前記ベース面が、
前記中心軸が中央に位置する中央領域と、
前記中央領域の周囲において前記中央領域よりも下方に位置する周辺領域と、
前記中央領域内から少なくとも前記中央領域と前記周辺領域との間の境界まで形成され、前記コネクタ部材の前記電機子からの前記導線に接続される接続箇所近傍の部位が収容される凹部と、
を有し、
前記中心軸を中心とする周方向における前記樹脂成形部の両側の外側面と前記外側面に対向する前記凹部の内側面との間の２つの間隙が、前記境界近傍において前記境界に向かって漸次広がり、
前記凹部内において、少なくとも前記配線と前記導線との前記接続箇所が硬化した流動性樹脂材料により覆われることを特徴とするモータ。
【請求項２】
請求項１に記載のモータであって、
前記境界近傍において、前記樹脂成形部の前記外側面の間の幅が一定であり、前記凹部の前記内側面の間の幅が前記境界に向かって漸次広がることを特徴とするモータ。
【請求項３】
請求項１に記載のモータであって、
前記境界近傍において、前記凹部の前記内側面の間の幅が一定であり、前記樹脂成形部の前記外側面の間の幅が前記境界に向かって漸次小さくなることを特徴とするモータ。
【請求項４】
請求項１ないし３のいずれかに記載のモータであって、
前記コネクタ部材が、インサート成形により前記配線の周囲に前記樹脂成形部を形成したものであることを特徴とするモータ。
【請求項５】
請求項１ないし４のいずれかに記載のモータであって、
前記２つの間隙のそれぞれが前記境界に向かって広がる角度が１０度以上６０度以下であることを特徴とするモータ。
【請求項６】
請求項１ないし５のいずれかに記載のモータであって、
前記境界の近傍において、前記２つの間隙が上方に向かって漸次広がることを特徴とするモータ。
【請求項７】
記録ディスク駆動装置であって、
記録ディスクを回転する請求項１ないし６のいずれかに記載のモータと、
前記記録ディスクに対する情報の読み出しまたは書き込みを行うアクセス部と、
前記モータおよび前記アクセス部を収容するハウジングと、
を備えることを特徴とする記録ディスク駆動装置。
【発明の詳細な説明】
【技術分野】
【０００１】
本発明は、電動式のモータ、および、モータを備える記録ディスク駆動装置に関する。
【背景技術】
【０００２】
ハードディスク装置等の記録ディスク駆動装置では、記録ディスクを回転駆動するスピンドルモータ（以下、単に「モータ」という。）がハウジング内に設けられ、ハウジングの外部に配置される回路基板とハウジング内部のモータの電機子とが電気的に接続される。
【０００３】
例えば、特許文献１では、ディスク駆動装置用のスピンドルモータにおいて電機子と回路基板とを接続するコネクタが開示されており、コネクタは、ディスク駆動装置のベースプレートに形成された凹部に圧入されて取り付けられる。コネクタの一端にはベースプレートに設けられた貫通孔を介してモータの電機子の導線が接続され、他端にはベースプレートの底面に配置された回路基板が接続される。
【特許文献１】米国特許第６，６５２，３２４号明細書
【発明の開示】
【発明が解決しようとする課題】
【０００４】
ところで、モータのベース部の外側に電機子の導線が引き出され、特許文献１に示されるようなコネクタ部材に半田付けにより接続される場合、コネクタ部材と導線との接続箇所に流動性の樹脂材料を付与して硬化させることにより接続箇所を樹脂材料で覆うことがある。このとき、ハウジングの凹部とコネクタ部材との間の間隙から樹脂材料が外部領域に流れ出してしまうと十分に接続箇所を覆うことができず、接続箇所の端子が外部の物体と接触する恐れがある。
【０００５】
本発明は上記課題に鑑みなされたものであり、樹脂材料を流出させることなくコネクタ部材と電機子からの導線との接続箇所を樹脂材料により覆うことにより、接続箇所と外部の物体との接触を防ぐことを主たる目的としている。
【課題を解決するための手段】
【０００６】
請求項１に記載の発明は、電動式のモータであって、ステータ部と、前記ステータ部の下方に位置し、中心軸を中心として前記ステータ部に対して回転可能に支持されるロータ部とを備え、前記ステータ部が、前記中心軸を中心とする電機子と、前記電機子が下方に取り付けられるとともに前記中心軸に平行に貫通する貫通孔が形成されたベース部と、前記ベース部の上面であるベース面に取り付けられ、前記電機子からの導線が前記貫通孔を経由して接続されるコネクタ部材とを備え、前記コネクタ部材が、略径方向に伸びるとともに、前記電機子からの前記導線および前記ベース面上に取り付けられる回路基板に接続される配線と、前記配線を覆う樹脂成形部とを有し、前記ベース面が、前記中心軸が中央に位置する中央領域と、前記中央領域の周囲において前記中央領域よりも下方に位置する周辺領域と、前記中央領域内から少なくとも前記中央領域と前記周辺領域との間の境界まで形成され、前記コネクタ部材の前記電機子からの前記導線に接続される接続箇所近傍の部位が収容される凹部とを有し、前記中心軸を中心とする周方向における前記樹脂成形部の両側の外側面と前記外側面に対向する前記凹部の内側面との間の２つの間隙が、前記境界近傍において前記境界に向かって漸次広がり、前記凹部内において、少なくとも前記配線と前記導線との前記接続箇所が硬化した流動性樹脂材料により覆われる。
【０００７】
請求項２に記載の発明は、請求項１に記載のモータであって、前記境界近傍において、前記樹脂成形部の前記外側面の間の幅が一定であり、前記凹部の前記内側面の間の幅が前記境界に向かって漸次広がる。
【０００８】
請求項３に記載の発明は、請求項１に記載のモータであって、前記境界近傍において、前記凹部の前記内側面の間の幅が一定であり、前記樹脂成形部の前記外側面の間の幅が前記境界に向かって漸次小さくなる。
【０００９】
請求項４に記載の発明は、請求項１ないし３のいずれかに記載のモータであって、前記コネクタ部材が、インサート成形により前記配線の周囲に前記樹脂成形部を形成したものである。
【００１０】
請求項５に記載の発明は、請求項１ないし４のいずれかに記載のモータであって、前記２つの間隙のそれぞれが前記境界に向かって広がる角度が１０度以上６０度以下である。
【００１１】
請求項６に記載の発明は、請求項１ないし５のいずれかに記載のモータであって、前記境界の近傍において、前記２つの間隙が上方に向かって漸次広がる。
【００１２】
請求項７に記載の発明は、記録ディスク駆動装置であって、記録ディスクを回転する請求項１ないし６のいずれかに記載のモータと、前記記録ディスクに対する情報の読み出しまたは書き込みを行うアクセス部と、前記モータおよび前記アクセス部を収容するハウジングとを備える。
【発明の効果】
【００１３】
本発明によれば、流動性樹脂材料を流出させることなくコネクタ部材と電機子からの導線との接続箇所を樹脂材料により覆うことができる。
【発明を実施するための最良の形態】
【００１４】
図１は本発明の第１の実施の形態に係る電動式のスピンドルモータ１（以下、「モータ１」という。）を備える記録ディスク駆動装置６０の内部構成を示す縦断面図である。記録ディスク駆動装置６０はいわゆるハードディスク装置であり、情報を記録する円板状の記録ディスク６２、記録ディスク６２に対する情報の書き込みおよび読み出しを行うアクセス部６３、記録ディスク６２を保持して回転する電動式のモータ１、並びに、記録ディスク６２、アクセス部６３およびモータ１を内部空間６１０に収容するハウジング６１を備える。
【００１５】
図１に示すように、ハウジング６１は上部に開口を有するとともにモータ１およびアクセス部６３が内部の底部に取り付けられる無蓋箱状の第１ハウジング部材６１１、並びに、第１ハウジング部材６１１の開口を覆うことにより内部空間６１０を形成する板状の第２ハウジング部材６１２を備える。記録ディスク駆動装置６０では、第１ハウジング部材６１１に第２ハウジング部材６１２が接合されてハウジング６１が形成され、内部空間６１０は塵や埃が極度に少ない清浄な空間とされる。
【００１６】
記録ディスク６２は、モータ１の上側に載置されてクランパ６２１によりモータ１に固定される。アクセス部６３は、記録ディスク６２に近接して情報の読み出しおよび書き込みを磁気的に行うヘッド６３１、ヘッド６３１を支持するアーム６３２、並びに、アーム６３２を移動することによりヘッド６３１を記録ディスク６２およびモータ１に対して相対的に移動するヘッド移動機構６３３を有する。これらの構成により、ヘッド６３１は回転する記録ディスク６２に近接した状態で記録ディスク６２の所要の位置にアクセスし、情報の読み出しおよび書き込みを行う。
【００１７】
図２は、記録ディスク駆動装置６０のモータ１を示す縦断面図である。図２に示すように、モータ１はアウタロータ型のモータであり、固定体であるステータ部２、および、回転体であるロータ部３を備える。ロータ部３は、作動流体である潤滑油による流体動圧を利用する軸受機構を介して、中心軸Ｊ１を中心としてステータ部２に対して回転可能に支持される。以下の説明では、中心軸Ｊ１に沿ってロータ部３側を上側、ステータ部２側を下側として説明するが、中心軸Ｊ１は必ずしも重力方向と一致する必要はない。
【００１８】
ロータ部３は記録ディスク６２（図１参照）が固定される略円板状のロータハブ３１、ロータハブ３１の外周縁から下側（すなわち、ステータ部２側）に突出する略円筒状のヨーク３４、ヨーク３４の内周面に固定されて中心軸Ｊ１の周囲に配置される界磁用磁石３２、中心軸Ｊ１を中心とする略円柱状であってロータハブ３１から下側に突出するシャフト３３、および、シャフト３３の下端に取り付けられた略円板状のスラストプレート３５を備える。界磁用磁石３２は、多極着磁された略円筒状の磁石であり、ステータ部２の電機子２４との間にて中心軸Ｊ１を中心とする回転力（トルク）を発生する。
【００１９】
ステータ部２は第１ハウジング部材６１１（図１参照）の一部であるベース部２１、ロータ部３を回転可能に支持する軸受機構の一部であって中心軸Ｊ１を中心とする略円筒状のスリーブ部であるスリーブユニット２２、スリーブユニット２２の周囲においてベース部２１に取り付けられた電機子２４、および、ベース部２１の電機子２４が取り付けられる面とは反対側の面（以下、「ベース面２１１」という。）に取り付けられるコネクタ部材２５を備える。図２中に二点鎖線にて示すようにベース面２１１上にはモータ１の制御を行う回路基板２８が取り付けられ、コネクタ部材２５は回路基板２８および電機子２４に電気的に接続される。
【００２０】
スリーブユニット２２は、中心軸Ｊ１を中心とする略円筒状であって潤滑油を介してロータ部３のシャフト３３が挿入されるスリーブ本体２２１、スリーブ本体２２１の外周面に固定された有底円筒状のスリーブハウジング２２２、および、スリーブ本体２２１の上側に配置される略円筒状のシール部材２２３を備える。スリーブ本体２２１は多孔質部材であり、スリーブハウジング２２２およびシール部材２２３はスリーブ本体２２１に含浸された潤滑油を保持する役割を果たす。スリーブユニット２２の下部は、ベース部２１の中央部に形成された開口に圧入されて固定される。
【００２１】
電機子２４は中心軸Ｊ１を中心とする環状であり、放射状に配置されたティース２４３を有するステータコア２４１、および、複数のティース２４３に導線を巻回することにより形成された複数のコイル２４２を備える。電機子２４から導き出された導線２４２１は、ベース部２１を中心軸Ｊ１に平行に貫通する貫通孔２１２を経由してハウジング６１（図１参照）の外部へと引き出され、コネクタ部材２５が有する配線２５１に半田付けにより接続される。さらに、接合に用いられた半田２７および配線２５１の接続端子近傍は硬化した流動性樹脂である樹脂材料２６により覆われる。
【００２２】
次に、ベース部２１およびコネクタ部材２５について説明する。以下では、図１および図２における上下を反転して、ロータ部３がステータ部２の下方に位置する状態におけるベース部２１およびコネクタ部材２５を参照する。図３はベース部２１の平面図であり（すなわち、図２における底面側に対応し、図３では電機子２４の取り付け位置はベース部２１の下方となる。）、コネクタ部材２５（図２参照）が取り付けられる前のベース部２１の上面であるベース面２１１を示している。
【００２３】
図３に示すように、ベース面２１１は、中心軸Ｊ１が中央に位置する円環状であって周囲の領域２１４から電機子２４とは反対側に向かって突出する領域２１３を有する。すなわち、周囲の領域（以下、「周辺領域２１４」という。）は円環状の領域２１３（以下、「中央領域２１３」という。）よりも下方に位置する（図２では上方に位置する。）。また、周辺領域２１４のうち中央領域２１３に隣接し、後述するようにコネクタ部材２５の一部が配置される略矩形の領域２１４１は周辺領域２１４の他の領域よりも僅かに凸状となっており、以下、「周辺凸状領域２１４１」という。
【００２４】
図４はベース面２１１の中央領域２１３近傍を拡大して示す平面図であり、図５は周辺凸状領域２１４１から中心軸Ｊ１に向かって中央領域２１３を見た（すなわち、図４の下側から上側に向かって見た）正面図である。ベース面２１１は中央領域２１３に凹部２１５を有し、凹部２１５は中央領域２１３内から中央領域２１３と周辺領域２１４との間の境界２１６まで形成される。凹部２１５は中心軸Ｊ１を中心とする周方向（以下、単に「周方向」という。）の両側に内側面２１５２を有し、内側面２１５２の中心軸Ｊ１側の部位（以下、「第１内側面２１５３」という。）はコネクタ部材２５が向く方向（後述の図８参照）に平行となっており、境界２１６側の部位（以下、「第２内側面２１５４」という。）は境界２１６に向かって互いの間の幅が漸次広がるとともに境界２１６まで形成されている。また、図５に示すように、第１内側面２１５３は中心軸Ｊ１に平行であり、第２内側面２１５４は上方に向かって外側に傾斜している。
【００２５】
図４に示すように、凹部２１５にはベース部２１を中心軸Ｊ１に平行に貫通するとともにコネクタ部材２５の一部が圧入される貫通孔２１２、および、中心軸Ｊ１を中心とする径方向（以下、単に「径方向」という。）において貫通孔２１２の外側にて径方向に垂直な方向に伸びる溝２１５１が設けられ、溝２１５１はコネクタ部材２５をベース面２１１上に取り付ける際に用いられる接着剤の保持に利用される。
【００２６】
図６はコネクタ部材２５の平面図であり（ただし、図２に対しては底面図となる。）、図７はコネクタ部材２５の側面図である。図６および図７に示すように、コネクタ部材２５は導電性金属により形成された細長い板状の３つの配線２５１およびインサート成形により配線２５１の周囲に形成された樹脂成形部２５２を有する。コネクタ部材２５がベース面２１１に取り付けられると図６の上側に中心軸Ｊ１が位置し、３つの配線２５１はそれぞれ中心軸Ｊ１を中心とする略径方向に伸びる（後述の図８参照）。また、配線２５１の中心軸Ｊ１側の端部である第１接続端子２５１１は貫通孔を有し、図２に示すベース部２１の貫通孔２１２を経由して電機子２４から導かれる導線２４２１に接続される。配線２５１の径方向外側（図６における下側）の端部である第２接続端子２５１２は、図７に示すように上方（すなわち、電機子２４とは反対側）に突出する折曲部を有し、折曲部の上端部にて回路基板２８に当接することにより電気的に接続される。
【００２７】
配線２５１を覆う樹脂成形部２５２は、図４の凹部２１５に配置される中心軸Ｊ１に垂直な略板状の第１板状部２５２１、および、周辺凸状領域２１４１に配置される中心軸Ｊ１に垂直な略板状の第２板状部２５２２を有する。図７に示すように、第１板状部２５２１と第２板状部２５２２との間の部位は第２板状部２５２２が第１板状部２５２１よりも下方に位置する段差部となっており、第１板状部２５２１の先端部近傍は薄くされるとともに第１接続端子２５１１が上方に露出している。以下、電機子２４からの導線２４２１に接続される接続箇所近傍の部位である第１接続端子２５１１および第１板状部２５２１の薄板部を「電機子接続部２５３」という。
【００２８】
また、中心軸Ｊ１を中心とする周方向における第１板状部２５２１の両側の外側面２５２４はコネクタ部材２５が伸びる方向および中心軸Ｊ１に平行であり、図６に示すように両方の外側面２５２４の間の幅は一定である。さらに、図７に示すように第１板状部２５２１は、第１接続端子２５１１が有する貫通孔に重なる位置にて中心軸Ｊ１方向に貫通する貫通孔２５２３を有し、電機子２４の導線２４２１は貫通孔２５２３および第１接続端子２５１１の貫通孔を介して引き出される。一方、第２板状部２５２２は配線２５１を配置する３本の溝を有し、配線２５１は上方に露出している。
【００２９】
図８はコネクタ部材２５が取り付けられたベース面２１１の中央領域２１３近傍を拡大して示す図である。図８に示すように、コネクタ部材２５がベース面２１１上に取り付けられると、コネクタ部材２５の外側面２５２４と凹部２１５の内側面２１５２とが周方向において対向し、外側面２５２４と内側面２１５２との間に２つの間隙４０が形成される。既述のように外側面２５２４の間の幅は一定であり、内側面２１５２の第２内側面２１５４（図４参照）の間の幅は境界２１６に向かって漸次広がるため、間隙４０はそれぞれ境界２１６近傍において境界２１６に向かって漸次広がる。図８では、間隙４０が境界２１６に向かって広がる角度（すなわち、外側面２５２４と第２内側面２１５４の上側のエッジとの間の角度）を符号θ１にて示しており、角度θ１は好ましくは４５度とされる。なお、角度θ１は４５度以外とされてもよく、１０度以上６０度以下とされる。
【００３０】
図９はコネクタ部材２５の第２板状部２５２２から第１板状部２５２１に向かって中央領域２１３を見た正面図であり、樹脂材料２６の図示を省略している。既述のように、凹部２１５の第２内側面２１５４は上方に向かって外側に傾斜しているため、図９に示すように間隙４０は上方に向かって（すなわち、凹部２１５の底面から中央領域２１３の表面に向かって）漸次広がる。第２板状部２５２２側から第１板状部２５２１に向かって見たときのコネクタ部材２５の外側面２５２４と第２内側面２１５４のエッジとがなす角度θ２は好ましくは４５度とされる。なお、角度θ２は１０度以上６０度以下の他の角度とされてもよい。
【００３１】
ベース面２１１に対するコネクタ部材２５の取付けの際には、まず、図２に示すベース部２１の貫通孔２１２を経由して電機子２４から導線２４２１が引き出され、取り付け前のコネクタ部材２５の貫通孔２５２３（図７参照）、および第１接続端子２５１１の貫通孔に通される。そして、図８に示すようにコネクタ部材２５がベース部２１に取り付けられて電機子接続部２５３が凹部２１５内に収容され、導線２４２１が電機子接続部２５３の第１接続端子２５１１に半田２７を用いて接続された後、電機子接続部２５３上に斜線にて示すように熱硬化性接着剤である樹脂材料２６が付与される。樹脂材料２６は加熱により硬化され、半田２７を含む電機子接続部２５３が硬化した樹脂材料２６により覆われて周囲と絶縁される。
【００３２】
間隙４０は境界２１６に向かって漸次幅が広がる（すなわち、電機子接続部２５３に向かって漸次幅が狭くなる）とともに図９に示すように中央領域２１３の表面に向かって漸次幅が広がる（すなわち、図９における下方に向かって漸次幅が狭くなる）ため、間隙４０による樹脂材料２６の界面張力により樹脂材料２６が電機子接続部２５３の周辺に保持されて境界２１６側に向かって流出することが防止される。
【００３３】
以上に説明したように、第１の実施の形態に係るモータ１では、凹部２１５とコネクタ部材２５との間に形成された間隙４０の境界２１６近傍の部位が境界２１６に向かって漸次幅が広がるテーパ状であるため、樹脂材料２６を流出させることなくコネクタ部材２５と電機子２４からの導線２４２１（図２参照）との接続箇所である電機子接続部２５３を樹脂材料２６により覆うことができる。その結果、記録ディスク駆動装置６０の取付部等の外部の物体と電機子接続部２５３との接触を防止することができる。また、間隙４０が中央領域２１３の表面に向かって漸次幅が広がるテーパ状であるため、樹脂材料２６の流出をより確実に防止することができる。
【００３４】
なお、凹部２１５の内側面２１５２の間の幅が境界２１６に向かって広がる形状とされ、コネクタ部材２５の外側面２５２４の間の幅が一定とされることにより、従来のコネクタ部材の設計をほぼ変更することなく境界２１６に向かって漸次幅が広がる間隙４０を設けることができる。
【００３５】
図１０は第２の実施の形態に係るモータにおけるベース面２１１の中央領域２１３近傍を示す図であり、図８と比較してコネクタ部材および凹部の形状が異なり、モータの他の構成は図２に示すモータ１と同様とされる。また、図１１は図９の場合と同様の方向から見た図１０の中央領域２１３の正面図であり、樹脂材料２６の図示は省略している。図１０に示すように、ベース面２１１の中央領域２１３にて境界２１６まで形成されている凹部２１５ａは、図１０における上下方向に互いに平行に伸びるとともに向かい合う内側面２１５２ａを有する。
【００３６】
凹部２１５ａにはコネクタ部材２５ａの第１板状部２５２１が配置され、図１０および図１１に示すように、凹部２１５ａの内側面２１５２ａが第１板状部２５２１の両側の外側面２５２４に対向する。図１０に示すように、境界２１６近傍においてコネクタ部材２５ａの外側面２５２４の間の幅は中央領域２１３と周辺領域２１４との境界２１６に向かって漸次小さくなるとともに、凹部２１５ａの向かい合う内側面２１５２ａの間の幅はコネクタ部材２５ａが伸びる方向において一定とされる。これにより、第１板状部２５２１の外側面２５２４と内側面２１５２ａとの間の２つの間隙４０ａが境界２１６近傍において境界２１６に向かって漸次広がり、樹脂材料２６が電機子接続部２５３に付与された際に樹脂材料２６が電機子接続部２５３の周辺に保持されて境界２１６側に向かって流出することが防止される。なお、間隙４０ａが境界２１６に向かって広がる角度θ３は好ましくは３０度とされるが、角度θ３は１０度以上６０度以下とされるのであれば３０度以外の角度とされてもよい。
【００３７】
さらに、図１１に示すように、凹部２１５ａの内側面２１５２ａは上方に向かって外側に傾斜しており、間隙４０ａは凹部２１５ａの底面から中央領域２１３の表面に向かって漸次広がっている。第２板状部２５２２側から第１板状部２５２１に向かって見たときのコネクタ部材２５ａの外側面２５２４と内側面２１５２ａとがなす角度θ４は好ましくは４５度とされる。なお、角度θ４は４５度以外の角度とされてもよく、１０度以上６０度以下とされる。
【００３８】
以上に説明したように、第２の実施の形態に係るモータにおいても、第１の実施の形態に係るモータ１と同様に、凹部２１５ａに設けられた間隙４０ａが境界２１６に向かって漸次幅が広がるテーパ状であるため、樹脂材料２６を流出させることなくコネクタ部材２５ａと電機子２４からの導線２４２１（図２参照）との接続箇所である電機子接続部２５３を樹脂材料２６により覆うことができる。その結果、記録ディスク駆動装置６０の取付部等の外部の物体と電機子接続部２５３との接触を防止することができる。また、間隙４０ａが中央領域２１３の表面に向かって漸次幅が広がるテーパ状であることにより、樹脂材料２６の流出をより確実に防止することができる。
【００３９】
なお、凹部２１５ａの内側面２１５２ａの間の幅が一定であり、コネクタ部材２５ａの外側面２５２４の間の幅が境界２１６に向かって漸次小さくされることにより、従来のベース部２１をほぼ設計変更することなく境界２１６に向かって漸次幅が広がる間隙４０ａを設けることができる。
【００４０】
図１２は凹部の他の例を示す図であり、ベース面２１１の中央領域２１３近傍を示し、図１３は図１２の中央領域２１３近傍の正面図である。図１２および図１３における凹部２１５ｂは、図１０および図１１の凹部２１５ａと比較して内側面２１５２ｂが中心軸Ｊ１に平行とされる点で異なる。また、図１０および図１１と同様に、図１２および図１３のコネクタ部材２５ａの第１板状部２５２１の両側の外側面２５２４の間の幅は境界２１６に向かって漸次小さくされ、凹部２１５ｂの内側面２１５２ｂの間の幅は図１２における上下方向（すなわち、コネクタ部材２５ａの向く方向）において一定である。これにより、外側面２５２４と内側面２１５２ｂとの間の２つの間隙４０ｂが境界２１６近傍において境界２１６に向かって漸次広がり、間隙４０ｂが境界２１６に向かって広がる角度θ５は図８と同様に３０度とされる。
【００４１】
図１２に示すように、凹部２１５ｂにおいても間隙４０ｂにより、図１０および図１１の間隙４０ａと同様に樹脂材料２６を流出させることなく保持して電機子接続部２５３を樹脂材料２６により覆うことができる。なお、図８に示す第１の実施の形態の凹部２１５において間隙４０の内側面２１５２が中心軸Ｊ１に平行とされてもよい。例えば、硬化する前の樹脂材料２６の粘性が高い場合等に中心軸Ｊ１方向のテーパ構造は省略されてよい。
【００４２】
以上、本発明の実施の形態について説明してきたが、本発明は上記実施の形態に限定されるものではなく、様々な変更が可能である。
【００４３】
間隙４０は境界２１６に向かって漸次広がるのであれば他の様々な形状とされてよく、例えば、間隙４０を形成する凹部２１５の内側面２１５２の間の幅が境界２１６に向かって漸次大きくされ、コネクタ部材２５の外側面２５２４の間の幅が境界２１６に向かって漸次小さくされてもよい。
【００４４】
また、コネクタ部材２５，２５ａの外側面２５２４と凹部の内側面との間に境界２１６に向かって広がる間隙が形成されるのであればコネクタ部材はどのような形状とされてもよい。コネクタ部材２５，２５ａはインサート成形に代えて、予め形成された樹脂成形部２５２に配線２５１が挿入されて製造されてもよい。
【００４５】
さらに、樹脂材料２６には紫外線硬化性接着剤が用いられてもよく、熱硬化性接着剤および紫外線硬化性接着剤が混合されたものや自然硬化する接着剤が利用されてもよい。
【００４６】
ベース部２１はハウジング６１の一部ではなく、例えば、ハウジングに取り付けられるブラケットであってもよい。
【００４７】
記録ディスク駆動装置６０は、ハードディスク駆動装置に限定されず、光ディスク駆動装置、光磁気ディスク駆動装置等、記録ディスクに対する情報の読み出しおよび書き込みの一方または両方、すなわち、読み出しまたは書き込みを行う他の装置であってもよい。モータ１は記録ディスク駆動装置以外の他の様々な装置の駆動源として用いられてもよい。
【図面の簡単な説明】
【００４８】
【図１】記録ディスク駆動装置の縦断面図である。
【図２】モータの縦断面図である。
【図３】ベース面を示す平面図である。
【図４】ベース面の中央領域近傍を示す平面図である。
【図５】中央領域近傍の正面図である。
【図６】コネクタ部材の平面図である。
【図７】コネクタ部材の側面図である。
【図８】中央領域近傍の平面図である。
【図９】中央領域近傍の正面図である。
【図１０】中央領域近傍の平面図である。
【図１１】中央領域近傍の正面図である。
【図１２】中央領域近傍の平面図である。
【図１３】中央領域近傍の正面図である。
【符号の説明】
【００４９】
１    モータ
２    ステータ部
３    ロータ部
２１    ベース部
２４    電機子
２５，２５ａ    コネクタ部材
２６    樹脂材料
２８    回路基板
４０，４０ａ，４０ｂ    間隙
６０    記録ディスク駆動装置
６１    ハウジング
６２    記録ディスク
６３    アクセス部
２１１    ベース面
２１２    貫通孔
２１３    中央領域
２１４    周辺領域
２１５，２１５ａ，２１５ｂ    凹部
２１６    境界
２５１    配線
２５２    樹脂成形部
２５３    電機子接続部
２１５２，２１５２ａ，２１５２ｂ    内側面
２４２１    導線
２５２４    外側面
θ１，θ３，θ５  角度
Ｊ１    中心軸
【図１】
2010011570.tif 000003
【図２】
2010011570.tif 000004
【図３】
2010011570.tif 000005
【図４】
2010011570.tif 000006
【図５】
2010011570.tif 000007
【図６】
2010011570.tif 000008
【図７】
2010011570.tif 000009
【図８】
2010011570.tif 000010
【図９】
2010011570.tif 000011
【図１０】
2010011570.tif 000012
【図１１】
2010011570.tif 000013
【図１２】
2010011570.tif 000014
【図１３】
2010011570.tif 000015